(57)【要約】【課題】タブ群とケースとを容易に絶縁できる蓄電装置を提供する。【解決手段】二次電池１０は、蓋１４と導電部材２０との間に配置され、蓋１４と導電部材２０とを絶縁する第１部位５１、及び正極電極２１及び負極電極２２の積層方向の他端側において正極タブ群１５及び負極タブ群とケース本体１３の内面との間に配置され、正極タブ群１５及び負極タブ群とケース本体１３とを絶縁する第３部位５３を有する絶縁カバー５０を備える。また、二次電池１０は、正極タブ群１５及び負極タブ群の集箔部１７ａを構成する複数の正極タブ２６及び負極タブを束ねるとともに、積層方向の一端側において正極タブ群１５及び負極タブ群とケース本体１３の内面との間に介在し、正極タブ群１５及び負極タブ群とケース本体１３とを絶縁する第１シート状部材６１及び第２シート状部材を備える。【選択図】図２
2019117736.tif 000002
【特許請求の範囲】
【請求項１】
正極と負極の電極が絶縁された状態で積層され、かつ前記電極から突出したタブが同じ極性同士で積層されたタブ群を有する電極組立体と、
前記電極組立体を収容するケース本体、及び前記ケース本体の開口部を閉塞する板状の蓋を有するケースと、
前記蓋に固定され、前記電極組立体と電気を授受する各極性の電極端子と、
同じ極性の前記タブ群と前記電極端子とを電気的に接続するとともに、前記蓋と、該蓋の内面に対向し、かつ前記タブ群が存在する前記電極組立体のタブ側端面との間に配置された導電部材と、
を備え、
前記電極組立体と前記蓋と前記電極端子と前記導電部材とは一体化され、
前記タブ群は、前記電極の積層方向の一端側に前記タブが寄せ集められた集箔部を有するとともに、前記積層方向の一端側から他端側に向けて湾曲している蓄電装置であって、
前記蓋と前記導電部材との間に配置され、前記蓋と前記導電部材とを絶縁する第１絶縁部、及び前記積層方向の他端側において前記タブ群と前記ケース本体の内面との間に配置され、前記タブ群と前記ケース本体とを絶縁する第２絶縁部を有する絶縁カバーと、
前記集箔部を構成する複数のタブを束ねるとともに、前記積層方向の一端側において前記タブ群と前記ケース本体の内面との間に介在し、前記タブ群と前記ケース本体とを絶縁するシート状部材と、
を備えることを特徴とする蓄電装置。
【請求項２】
前記シート状部材は、金属製の基材と、前記基材における前記ケース本体側の面に存在する絶縁層とを備える請求項１に記載の蓄電装置。
【請求項３】
前記集箔部は、前記積層方向の両端に端面を備えるとともに、前記タブ群の短手方向の両端に端面を備え、
前記シート状部材は、前記集箔部の各端面に沿うように折り曲げられている請求項１又は請求項２に記載の蓄電装置。
【請求項４】
前記ケース本体は、電解液を収容し、
前記基材の材料は、前記タブの材料と同じである請求項２又は請求項２を引用する請求項３に記載の蓄電装置。
【発明の詳細な説明】
【技術分野】
【０００１】
本発明は、電極から突出したタブが積層されたタブ群を備え、タブ群は、電極の積層方向の一端側に複数のタブが寄せ集められた集箔部を有するとともに、積層方向の一端側から他端側に向けて湾曲している蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。二次電池は、シート状の正極及び負極の電極が絶縁された状態で積層された電極組立体と、電極組立体を収容するケースとを備える。電極組立体は、電極から突出したタブが同じ極性同士で積層されたタブ群を有する。タブ群は、電極の積層方向の一端側に複数のタブが寄せ集められた集箔部を有するとともに、積層方向の一端側から他端側に向けて湾曲している。ケースは、有底筒状のケース本体と、ケース本体の開口部を閉塞する蓋とを有する。
【０００３】
特許文献１に開示の二次電池は、電極組立体と電気を授受する電極端子と、タブ群と電極端子とを電気的に接続する導電部材とを備える。電極端子は、蓋に固定されている。導電部材は、蓋と、蓋の内面に対向し、かつタブ群が存在する電極組立体のタブ側端面との間に配置される。電極組立体、蓋、電極端子、導電部材、及びタブ群は、ユニット部材として一体化され、蓋と導電部材との隙間が小さくなった状態で、ケース本体に収容される。
【０００４】
また、特許文献２に開示の二次電池は、絶縁カバーを備える。絶縁カバーは、矩形板状の第１部位と、第１部位の短手方向の一端から第１部位の厚さ方向に延出する第２部位と、第１部位の短手方向の他端から第１部位の厚さ方向に延出する第３部位とを有する断面Ｕ字状のカバーである。絶縁カバーは、タブ群を介して導電部材と一体化された状態の電極組立体に対して蓋側から取り付けられる。第１部位は、蓋と導電部材との間に配置され、蓋と導電部材とを絶縁する。第２部位は、積層方向の一端側においてタブ群とケース本体との間に配置され、タブ群とケースとを絶縁する。第３部位は、積層方向の他端側においてタブ群とケース本体との間に配置され、タブ群とケースとを絶縁する。
【先行技術文献】
【特許文献】
【０００５】
【特許文献１】特開２０１６−１２２５３３号公報
【特許文献２】国際公開第２０１３／１５７４３３号
【発明の概要】
【発明が解決しようとする課題】
【０００６】
ところで、特許文献１のように電極組立体、蓋、電極端子、導電部材、及びタブ群が一体化されている場合、特許文献２のように蓋側から絶縁カバーを取り付けることができない。このため、例えば、絶縁カバーを第１部位の短手方向に２分割し、２分割した絶縁カバーを積層方向の両側からユニット部材に対して組み付けることで、タブ群とケースとを絶縁することが考えられる。この場合、絶縁カバーは、積層方向の一端側から取り付けられる第１絶縁カバー及び積層方向の他端側から取り付けられる第２絶縁カバーが蓋と導電部材との間に嵌合又は係止される機構を有する。第１絶縁カバーは、蓋と導電部材との間に配置される部位と、積層方向の一端側からタブ群を覆う部位とを有する。第２絶縁カバーは、蓋と導電部材との間に配置される部位と、積層方向の他端側からタブ群を覆う部位とを有する。しかしながら、ユニット部材において蓋と導電部材との隙間は僅かであるため、蓋と導電部材との間に第１絶縁カバー及び第２絶縁カバーを嵌合又は係止する作業は時間を要する。
【０００７】
また、タブ群の集箔部は、タブ群が湾曲していることにより、積層方向の一端側に向けて膨らむように変形することがある。すると、積層方向の一端側の第１絶縁カバーは、積層方向の一端側においてタブ群とケース本体との間で位置ずれしてしまい、蓋と導電部材との間に嵌合又は係止されず、タブ群とケース本体との絶縁を確保できない虞がある。
【０００８】
本発明は、上記課題を解決するためになされたものであり、その目的は、タブ群とケースとを容易に絶縁できる蓄電装置を提供することにある。
【課題を解決するための手段】
【０００９】
上記問題点を解決するための蓄電装置は、正極と負極の電極が絶縁された状態で積層され、かつ前記電極から突出したタブが同じ極性同士で積層されたタブ群を有する電極組立体と、前記電極組立体を収容するケース本体、及び前記ケース本体の開口部を閉塞する板状の蓋を有するケースと、前記蓋に固定され、前記電極組立体と電気を授受する各極性の電極端子と、同じ極性の前記タブ群と前記電極端子とを電気的に接続するとともに、前記蓋と、該蓋の内面に対向し、かつ前記タブ群が存在する前記電極組立体のタブ側端面との間に配置された導電部材と、を備え、前記電極組立体と前記蓋と前記電極端子と前記導電部材とは一体化され、前記タブ群は、前記電極の積層方向の一端側に前記タブが寄せ集められた集箔部を有するとともに、前記積層方向の一端側から他端側に向けて湾曲している蓄電装置であって、前記蓋と前記導電部材との間に配置され、前記蓋と前記導電部材とを絶縁する第１絶縁部、及び前記積層方向の他端側において前記タブ群と前記ケース本体の内面との間に配置され、前記タブ群と前記ケース本体とを絶縁する第２絶縁部を有する絶縁カバーと、前記集箔部を構成する複数のタブを束ねるとともに、前記積層方向の一端側において前記タブ群と前記ケース本体の内面との間に介在し、前記タブ群と前記ケース本体とを絶縁するシート状部材と、を備えることを要旨とする。
【００１０】
これによれば、絶縁カバーの第１絶縁部が導電部材に支持されることによって、絶縁カバーの第２絶縁部は、積層方向の他端側においてタブ群とケース本体の内面との間に位置する。このため、積層方向の他端側において、タブ群とケース本体の内面とは、絶縁カバーの第２絶縁部によって絶縁される。また、シート状部材は、積層方向の一端側においてタブ群とケース本体の内面との間に介在する。このため、積層方向の一端側において、タブ群とケース本体の内面とは、シート状部材によって絶縁される。
【００１１】
よって、積層方向の一端側におけるタブ群とケース本体の内面との絶縁のために、絶縁部材を積層方向の一端側から導電部材と蓋との間に嵌合又は係止する必要が無い。また、シート状部材は可撓性を有するため、タブ群に対して取り付けやすい。その結果、タブ群とケース本体とを容易に絶縁できる。
【００１２】
また、シート状部材は、タブ群の集箔部を構成する複数のタブを束ねる。このため、タブ群が湾曲していることで集箔部が積層方向の一端側に向けて膨らむように変形したとしても、シート状部材がタブ群から外れることが抑制される。よって、積層方向の一端側においてタブ群とケース本体との間でシート状部材が位置ずれすることが抑制される。その結果、タブ群とケース本体の内面との絶縁を確保できる。
【００１３】
また、上記蓄電装置について、前記シート状部材は、金属製の基材と、前記基材における前記ケース本体側の面に存在する絶縁層とを備えるのが好ましい。
これによれば、基材は金属製であるため、シート状部材がタブ群を束ねた形状を維持しやすい。よって、積層方向の一端側においてタブ群とケース本体との間でシート状部材が位置ずれすることをより抑制できる。
【００１４】
また、上記蓄電装置について、前記集箔部は、前記積層方向の両端に端面を備えるとともに、前記タブ群の短手方向の両端に端面を備え、前記シート状部材は、前記集箔部の各端面に沿うように折り曲げられているのが好ましい。
【００１５】
これによれば、シート状部材を折り曲げるだけでシート状部材をタブ群に取り付けることができるため、シート状部材の取り付けが容易になる。
また、上記蓄電装置について、前記ケース本体は、電解液を収容し、前記基材の材料は、前記タブの材料と同じであるのが好ましい。
【００１６】
これによれば、基材から基材の材料である金属のイオンが電解液に溶出することを抑制できる。
【発明の効果】
【００１７】
本発明によれば、タブ群とケースとを容易に絶縁できる。
【図面の簡単な説明】
【００１８】
【図１】実施形態の二次電池の分解斜視図。
【図２】二次電池の断面図。
【図３】二次電池の断面図。
【図４】（ａ），（ｂ）はシート状部材の取り付け方法を説明する斜視図。
【発明を実施するための形態】
【００１９】
以下、蓄電装置を二次電池に具体化した一実施形態を図１〜図４にしたがって説明する。
図１に示すように、蓄電装置としての二次電池１０は、ケース１１を備える。二次電池１０は、ケース１１に収容された電極組立体１２及び電解液を備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。本実施形態の二次電池１０は、その外観が角型をなす角型電池である。また、本実施形態の二次電池１０は、リチウムイオン電池である。
【００２０】
ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有する。蓋１４において、ケース１１の内側に臨む面を内面としての下面１４ａとし、ケース１１の外側に臨む面を上面１４ｂとする。ケース１１は、電極組立体１２を収容したケース本体１３の長側壁１３ｃ及び短側壁１３ｄと、ケース本体１３の開口部１３ａを閉塞した蓋１４とを溶接することで形成される。また、電解液は、ケース本体１３と蓋１４とを溶接した後で、蓋１４に形成された図示しない注液口からケース１１内に注入される。
【００２１】
図２に示すように、電極組立体１２は、シート状の複数の正極の電極としての正極電極２１と、シート状の複数の負極の電極としての負極電極２２と、シート状の複数のセパレータ２３とを備える。電極組立体１２は、正極電極２１と負極電極２２との間にセパレータ２３を介在させ、かつ相互に絶縁させた状態で積層した層状構造を備える。
【００２２】
正極電極２１は、矩形シート状の正極金属箔（例えばアルミニウム箔）２４と、正極金属箔２４の両面に存在する正極活物質層２５とを有する。正極電極２１は、一対の長辺に沿う縁部のうちの一方の縁部にタブ側縁部２１ａを備える。正極電極２１は、タブ側縁部２１ａの一部から突出した形状のタブとしての正極タブ２６を有する。正極タブ２６は、正極活物質層２５が存在せず、正極金属箔２４そのもので構成されている。本実施形態では、正極タブ２６は矩形状であり、正極タブ２６の短手方向は、タブ側縁部２１ａに沿う方向と一致する。
【００２３】
負極電極２２は、矩形シート状の負極金属箔（例えば銅箔）２７と、負極金属箔２７の両面に存在する負極活物質層２８とを有する。負極電極２２は、一対の長辺に沿う縁部のうちの一方の縁部にタブ側縁部２２ａを備える。負極電極２２は、タブ側縁部２２ａの一部から突出した形状のタブとしての負極タブ２９を有する（図１参照）。負極タブ２９は、負極活物質層２８が存在せず、負極金属箔２７そのもので構成されている。本実施形態では、負極タブ２９は矩形状であり、負極タブ２９の短手方向は、タブ側縁部２２ａに沿う方向と一致する。負極タブ２９は、正極電極２１及び負極電極２２が積層された状態で、正極タブ２６と重ならない位置に存在する。セパレータ２３は、絶縁性を有し、正極電極２１と負極電極２２とを絶縁する。正極電極２１、負極電極２２、及びセパレータ２３が積層された方向を積層方向とする。
【００２４】
二次電池１０は、各正極電極２１の正極タブ２６が積層された正極タブ群１５と、各負極電極２２の負極タブ２９が積層された負極タブ群１６とを備える。正極タブ群１５及び負極タブ群１６はそれぞれ、積層方向の一端側に複数の正極タブ２６及び負極タブ２９が寄せ集められた集箔部１７ａを有するとともに、積層方向の一端側から他端側に向けて湾曲している。正極タブ群１５及び負極タブ群１６において、積層方向の一端側から他端側に向けて延びる部分を第１延出部１７ｂとする。集箔部１７ａにおけるタブ側縁部２１ａ，２２ａとは反対側の端部と、第１延出部１７ｂの一端部とは、積層方向の一端側で連続している。また、正極タブ群１５及び負極タブ群１６において、第１延出部１７ｂの他端部は、積層方向の他端側から一端側に向けて湾曲している。積層方向の他端側から一端側に向けて延びる部分を第２延出部１７ｃとする。
【００２５】
正極タブ群１５の集箔部１７ａは、積層方向の一端面に端面としての第１端面Ａ１を備え、積層方向の他端面に端面としての第２端面Ａ２を備える。第１端面Ａ１は、積層方向の一端に位置する正極タブ２６によって構成され、第２端面Ａ２は、積層方向の他端に位置する正極タブ２６によって構成される。また、集箔部１７ａは、正極タブ群１５の短手方向の両端面に端面としての積層端面Ｂを備える。積層端面Ｂは、複数の正極タブ２６が積層されて構成される。同様に、負極タブ群１６の集箔部１７ａは、積層方向の一端面に端面としての第１端面Ａ１を備え、積層方向の他端面に端面としての第２端面Ａ２を備える。第１端面Ａ１は、積層方向の一端に位置する負極タブ２９によって構成され、第２端面Ａ２は、積層方向の他端に位置する負極タブ２９によって構成される。また、集箔部１７ａは、負極タブ群１６の短手方向の両端面に端面としての積層端面Ｂを備える。積層端面Ｂは、複数の負極タブ２９が積層されて構成される。
【００２６】
電極組立体１２は、正極タブ群１５及び負極タブ群１６が存在する端面にタブ側端面１２ａを備える。タブ側端面１２ａは、正極電極２１のタブ側縁部２１ａ、負極電極２２のタブ側縁部２２ａ、及びセパレータ２３の縁部を寄せ集めて形成されている。また、電極組立体１２は、タブ側端面１２ａと反対側の端面に底側端面１２ｂを備え、タブ側端面１２ａ及び底側端面１２ｂと直交する端面に側端面１２ｃを備える。
【００２７】
図１〜図３に示すように、二次電池１０は、電極組立体１２と電気を授受する電極端子としての正極端子１８ａ及び負極端子１８ｂを備える。正極端子１８ａ及び負極端子１８ｂはそれぞれ、蓋１４に固定されている。正極端子１８ａは、正極の引出端子１９ａを備え、負極端子１８ｂは、負極の引出端子１９ａを備える。各引出端子１９ａは、蓋１４の上面１４ｂより外側に突出している。正極の引出端子１９ａは、正極の導電部材２０と接合され、正極の導電部材２０の下面は、正極タブ群１５と接合されている。これにより、正極端子１８ａは、正極の導電部材２０及び正極タブ群１５を介して電極組立体１２と電気的に接続されている。同様に、負極の引出端子１９ａは、負極の導電部材２０と接合され、負極の導電部材２０の下面は、負極タブ群１６と接合されている。これにより、負極端子１８ｂは、負極の導電部材２０及び負極タブ群１６を介して電極組立体１２と電気的に接続されている。各導電部材２０は、蓋１４の下面１４ａと電極組立体１２のタブ側端面１２ａとの間に配置されている。
【００２８】
正極端子１８ａ及び負極端子１８ｂはそれぞれ、蓋１４の上面１４ｂで引出端子１９ａと電気的に接続された端子接続部材１９ｂと、蓋１４の外側で端子接続部材１９ｂと電気的に接続された外部接続端子１９ｃを備える。正極端子１８ａ及び負極端子１８ｂは、端子接続部材１９ｂ及び外部接続端子１９ｃを蓋１４から絶縁する外側絶縁部材１９ｄを蓋１４の上面１４ｂに備える。電極組立体１２、蓋１４、正極端子１８ａ、負極端子１８ｂ、及び導電部材２０は、ユニット部材Ｗとして一体化されている。
【００２９】
二次電池１０は、電極組立体１２を覆う絶縁シート４１を備える。絶縁シート４１は、電極組立体１２のタブ側端面１２ａを除く５面、すなわち底側端面１２ｂ及び側端面１２ｃを覆っている。絶縁シート４１は、電極組立体１２の底側端面１２ｂとケース本体１３の底壁１３ｂとを絶縁するとともに、電極組立体１２の側端面１２ｃとケース本体１３の長側壁１３ｃ又は短側壁１３ｄとを絶縁する。
【００３０】
二次電池１０は、樹脂製の絶縁カバー５０を備える。絶縁カバー５０は、矩形板状の第１絶縁部としての第１部位５１と、第１部位５１と一部が対向する矩形板状の第２部位５２と、第１部位５１の長手方向に沿う一辺と第２部位５２の長手方向に沿う一辺とを接続する第２絶縁部としての第３部位５３とを備える。絶縁カバー５０は、ユニット部材Ｗに対して積層方向の他端側から一端側に向けて差し込まれることで取り付けられる。絶縁カバー５０は、第１部位５１及び第２部位５２における最も面積の大きい面が蓋１４の下面１４ａと沿うように配置される。
【００３１】
図２に示すように、第１部位５１は、蓋１４の下面１４ａと導電部材２０の上面との間に配置され、導電部材２０に支持されている。第２部位５２は、電極組立体１２のタブ側端面１２ａと、正極タブ群１５及び負極タブ群１６の第２延出部１７ｃとの間に位置する。第２部位５２は、第２延出部１７ｃを電極組立体１２側から覆う。第２延出部１７ｃは、導電部材２０の下面と、第２部位５２と、第３部位５３とで区画された隙間に入り込んだ状態にある。
【００３２】
図１及び図３に示すように、第２部位５２の長手方向の寸法は、第１部位５１の長手方向の寸法よりも長い。第２部位５２は、長手方向の一端側に負極絶縁部５２ａを備え、長手方向の他端側に正極絶縁部５２ｂを備える。負極絶縁部５２ａは、負極端子１８ｂにおける引出端子１９ａとタブ側端面１２ａとの間に位置し、負極端子１８ｂと電極組立体１２とを絶縁する。正極絶縁部５２ｂは、正極端子１８ａにおける引出端子１９ａとタブ側端面１２ａとの間に位置し、正極端子１８ａと電極組立体１２とを絶縁する。
【００３３】
第３部位５３は、正極タブ群１５及び負極タブ群１６を積層方向の他端側から覆う。第３部位５３は、積層方向の他端側において正極タブ群１５及び負極タブ群１６とケース本体１３の長側壁１３ｃの内面との間に位置し、正極タブ群１５及び負極タブ群１６とケース本体１３とを絶縁する。
【００３４】
図２、図３、及び図４（ｂ）に示すように、二次電池１０は、正極タブ群１５の集箔部１７ａを構成する複数の正極タブ２６を束ねる第１シート状部材６１と、負極タブ群１６の集箔部１７ａを構成する複数の負極タブ２９を束ねる第２シート状部材６２とを備える。第１シート状部材６１及び第２シート状部材６２はそれぞれ、長尺帯状である。
【００３５】
第１シート状部材６１の長手方向の寸法は、正極タブ２６の短手方向の寸法よりも長い。第１シート状部材６１は、複数の正極タブ２６を束ねた状態では、正極タブ２６の長手方向において電極組立体１２のタブ側端面１２ａから導電部材２０に接合される部分までの範囲に存在する。同様に、第２シート状部材６２の長手方向の寸法は、負極タブ２９の短手方向の寸法よりも長い。第２シート状部材６２は、複数の負極タブ２９を束ねた状態では、負極タブ２９の長手方向において電極組立体１２のタブ側端面１２ａから導電部材２０に接合される部分までの範囲に存在する。
【００３６】
図４（ｂ）に示すように、第１シート状部材６１は、正極タブ群１５の集箔部１７ａの第１端面Ａ１、積層端面Ｂ、及び第２端面Ａ２に沿うように折り曲げられることで、集箔部１７ａに対して積層方向の一端側から係止されている。同様に、第２シート状部材６２は、負極タブ群１６の集箔部１７ａの第１端面Ａ１、積層端面Ｂ、及び第２端面Ａ２に沿うように折り曲げられることで、集箔部１７ａに対して積層方向の一端側から係止されている。
【００３７】
第１シート状部材６１は、正極タブ群１５の集箔部１７ａの第１端面Ａ１を覆う第１被覆部６１ａと、各積層端面Ｂを覆う第２被覆部６１ｂと、第２端面Ａ２における正極タブ２６の短手方向の両側を覆う第３被覆部６１ｃとを有する。同様に、第２シート状部材６２は、負極タブ群１６の集箔部１７ａの第１端面Ａ１を覆う第１被覆部６２ａと、各積層端面Ｂを覆う第２被覆部６２ｂと、第２端面Ａ２における負極タブ２９の短手方向の両側を覆う第３被覆部６２ｃとを有する。第１被覆部６１ａ，６２ａ、第２被覆部６１ｂ，６２ｂ、及び第３被覆部６１ｃ，６２ｃは、第１及び第２シート状部材６１，６２の長手方向において順に連続している。第３被覆部６１ｃ，６２ｃは、集箔部１７ａの第２端面Ａ２に係止されている。
【００３８】
第１及び第２シート状部材６１，６２はそれぞれ、シート状の基材６３と、基材６３の片面に存在する絶縁層６４とを有する２層構造である。本実施形態では、第１シート状部材６１の基材６３は、正極タブ２６と同じアルミニウム製であり、第２シート状部材６２の基材６３は、負極タブ２９と同じ銅製である。本実施形態の基材６３の厚みは約１０μｍであるため、第１シート状部材６１及び第２シート状部材６２は、可撓性を有する。本実施形態の絶縁層６４は、例えば、蒸着や溶射等により、基材６３の片面にケイ素酸化物を堆積することで形成される。本実施形態の絶縁層６４には、複数の気泡が含まれている。
【００３９】
第１及び第２シート状部材６１，６２において、絶縁層６４が存在せず、基材６３が露出する面を第１面Ｘとし、基材６３が存在せず、絶縁層６４が露出する面を第２面Ｙとする。第１シート状部材６１の第１面Ｘは、正極タブ群１５と対向する面であり、第２シート状部材６２の第１面Ｘは、負極タブ群１６と対向する面である。
【００４０】
第１シート状部材６１の第１被覆部６１ａは、積層方向の一端側において正極タブ群１５とケース本体１３の長側壁１３ｃの内面との間に介在する。第１シート状部材６１の第２面Ｙは、ケース本体１３の長側壁１３ｃの内面と対向する。第１シート状部材６１の絶縁層６４は、正極タブ群１５とケース本体１３とを絶縁する。第２シート状部材６２の第１被覆部６２ａは、積層方向の一端側において負極タブ群１６とケース本体１３の長側壁１３ｃの内面との間に介在する。第２シート状部材６２の第２面Ｙは、ケース本体１３の長側壁１３ｃの内面と対向する。第２シート状部材６２の絶縁層６４は、負極タブ群１６とケース本体１３とを絶縁する。
【００４１】
ここで、正極タブ群１５に対して第１シート状部材６１を取り付ける方法について説明する。負極タブ群１６に対して第２シート状部材６２を取り付ける方法も同様の方法であるため、説明を省略する。なお、第１及び第２シート状部材６１，６２は、ユニット部材Ｗに対して絶縁カバー５０を取り付けた後で、正極タブ群１５及び負極タブ群１６に対して取り付けられる。
【００４２】
まず、図４（ａ）に示すように、正極タブ群１５の集箔部１７ａの第１端面Ａ１と第１シート状部材６１の第１面Ｘとが対向するように、正極タブ群１５と第１シート状部材６１とを重ねる。このとき、第１シート状部材６１の長手方向を正極タブ２６の短手方向と一致させる。これにより、第１被覆部６１ａが形成されるとともに、集箔部１７ａの第１端面Ａ１の縁部からは第１シート状部材６１の長手方向の両端部がはみ出した状態となる。
【００４３】
次に、図４（ｂ）に示すように、第１シート状部材６１における集箔部１７ａの第１端面Ａ１の縁部からはみ出した部分を、集箔部１７ａの積層端面Ｂに沿うように折り曲げる。これにより、第２被覆部６１ｂが形成されるとともに、積層端面Ｂの縁部からは積層方向の他端側へ第１シート状部材６１の長手方向の両端部がはみ出した状態となる。さらに、第１シート状部材６１における積層端面Ｂの縁部からはみ出した部分を、集箔部１７ａの第２端面Ａ２に沿うように折り曲げる。これにより、第３被覆部６１ｃが形成されるとともに、正極タブ群１５の集箔部１７ａを構成する複数の正極タブ２６は、第１シート状部材６１によって束ねられる。
【００４４】
次に、本実施形態の効果を作用とともに記載する。
（１）絶縁カバー５０の第１部位５１が導電部材２０に支持されることによって、絶縁カバー５０の第３部位５３は、積層方向の他端側において正極タブ群１５及び負極タブ群１６とケース本体１３の内面との間に位置する。このため、積層方向の他端側において、正極タブ群１５及び負極タブ群１６と、ケース本体１３の内面とは、絶縁カバー５０の第３部位５３によって絶縁される。また、第１シート状部材６１及び第２シート状部材６２は、積層方向の一端側において正極タブ群１５及び負極タブ群１６とケース本体１３の内面との間に介在する。このため、積層方向の一端側において、正極タブ群１５及び負極タブ群１６と、ケース本体１３の内面とは、第１シート状部材６１及び第２シート状部材６２によって絶縁される。
【００４５】
よって、積層方向の一端側における正極タブ群１５及び負極タブ群１６とケース本体１３の内面との絶縁のために、絶縁部材を積層方向の一端側から導電部材２０の上面と蓋１４の下面１４ａとの間に嵌合又は係止する必要が無い。また、第１シート状部材６１及び第２シート状部材６２は可撓性を有するため、正極タブ群１５及び負極タブ群１６に対して取り付けやすい。その結果、正極タブ群１５及び負極タブ群１６とケース本体１３とを容易に絶縁できる。
【００４６】
また、第１シート状部材６１及び第２シート状部材６２は、正極タブ群１５及び負極タブ群１６の集箔部１７ａを構成する複数の正極タブ２６及び負極タブ２９を束ねる。このため、正極タブ群１５や負極タブ群１６が湾曲していることで集箔部１７ａが積層方向の一端側に向けて膨らむように変形したとしても、第１シート状部材６１及び第２シート状部材６２が正極タブ群１５及び負極タブ群１６から外れることが抑制される。よって、積層方向の一端側において正極タブ群１５及び負極タブ群１６とケース本体１３との間で第１シート状部材６１及び第２シート状部材６２が位置ずれすることが抑制される。その結果、正極タブ群１５及び負極タブ群１６とケース本体１３の内面との絶縁を確保できる。
【００４７】
（２）第１シート状部材６１及び第２シート状部材６２はそれぞれ、金属製の基材６３と、基材６３におけるケース本体１３側の面に存在する絶縁層６４とを備える。基材６３は金属製であるため、第１シート状部材６１が正極タブ群１５を束ねた形状を維持しやすく、第２シート状部材６２が負極タブ群１６を束ねた形状を維持しやすい。よって、積層方向の一端側における正極タブ群１５及び負極タブ群１６とケース本体１３との間で第１シート状部材６１及び第２シート状部材６２が位置ずれすることをより抑制できる。
【００４８】
（３）第１シート状部材６１及び第２シート状部材６２を集箔部１７ａの第１端面Ａ１、積層端面Ｂ、及び第２端面Ａ２に沿うように折り曲げることで、第１シート状部材６１及び第２シート状部材６２を集箔部１７ａに取り付けることができる。よって、第１シート状部材６１及び第２シート状部材６２を集箔部１７ａに対して容易に取り付けることができる。
【００４９】
（４）第１シート状部材６１の基材６３は、正極タブ２６と同じアルミニウム製であるため、基材６３からアルミニウムイオンが電解液に溶出することを抑制できる。同様に、第２シート状部材６２の基材６３は、負極タブ２９と同じ銅製であるため、基材６３から銅イオンが電解液に溶出することを抑制できる。
【００５０】
（５）第１シート状部材６１の絶縁層６４に気泡が含まれている場合、ケース本体１３と蓋１４とを溶接する際の熱は、気泡によって断熱され、正極タブ２６に伝わることが抑制される。よって、セパレータ２３が溶けることを抑制できる。同様に、第２シート状部材６２の絶縁層６４に気泡が含まれている場合、ケース本体１３と蓋１４とを溶接する際の熱は、気泡によって断熱され、負極タブ２９に伝わることが抑制される。よって、セパレータ２３が溶けることを抑制できる。
【００５１】
また、電解液は、ケース１１内に注入される際に第１シート状部材６１又は第２シート状部材６２に接触する。第１シート状部材６１又は第２シート状部材６２に接触した電解液の一部は、絶縁層６４の表面に存在する気泡の内部に貯留される。気泡に貯留された電解液は、例えば二次電池１０の長期使用時などに、第１シート状部材６１又は第２シート状部材を伝って流れ落ちる。これにより、ケース１１の底側に溜まる電解液の液量を増やすことができる。
【００５２】
なお、上記実施形態は、以下のように変更してもよい。
○  正極電極２１において、正極活物質層２５は正極金属箔２４の片面に存在してもよい。同様に、負極電極２２において、負極活物質層２８は負極金属箔２７の片面に存在してもよい。
【００５３】
○  正極タブ群１５は、積層方向の他端側から一端側に向けて湾曲せず、第２延出部１７ｃを備えない構成であってもよい。同様に、負極タブ群１６は、積層方向の他端側から一端側に向けて湾曲せず、第２延出部１７ｃを備えない構成であってもよい。
【００５４】
○  絶縁カバー５０は、第２部位５２を備えない構成であってもよい。
○  第１シート状部材６１又は第２シート状部材６２を省略してもよい。第１シート状部材６１を省略した場合、例えば、正極タブ群１５の第１端面Ａ１に絶縁シートを貼るなど、蓋１４と導電部材２０との間に絶縁カバーを差し込む以外の方法によって、積層方向の一端側において正極タブ群１５とケース本体１３の内面とを絶縁する。第２シート状部材６２を省略した場合、例えば、負極タブ群１６の第１端面Ａ１に絶縁シートを貼るなど、蓋１４と導電部材２０との間に絶縁カバーを差し込む以外の方法によって、積層方向の一端側において負極タブ群１６とケース本体１３の内面とを絶縁する。
【００５５】
○  第１シート状部材６１は、正極タブ２６の長手方向において、少なくとも正極タブ群１５とケース本体１３とが接触し得る位置に存在すればよい。同様に、第２シート状部材６２は、負極タブ２９の長手方向において、少なくとも負極タブ群１６とケース本体１３と接触し得る位置に存在すればよい。
【００５６】
○  正極タブ群１５の集箔部１７ａを束ねた状態の第１シート状部材６１において、第３被覆部６１ｃ同士は重なっていてもよい。この場合、集箔部１７ａの第２端面Ａ２全体が第１シート状部材６１によって覆われる。同様に、負極タブ群１６の集箔部１７ａを束ねた状態の第２シート状部材６２において、第３被覆部６２ｃ同士は重なっていてもよい。この場合、集箔部１７ａの第２端面Ａ２全体が第２シート状部材６２によって覆われる。
【００５７】
○  第１シート状部材６１は、正極タブ群１５とケース本体１３とを絶縁でき、かつ可撓性を有するのであれば、２層構造に限定されない。すなわち、第１シート状部材６１は、層状構造でなくてもよいし、３層以上の層状構造であってもよい。同様に、第２シート状部材６２は、負極タブ群１６とケース本体１３とを絶縁でき、かつ可撓性を有するのであれば、２層構造に限定されない。すなわち、第２シート状部材６２は、層状構造でなくてよいし、３層以上の層状構造であってもよい。
【００５８】
第１及び第２シート状部材６１，６２は、例えば、紙でもよい。また、第１及び第２シート状部材６１，６２は、例えば、基材６３、絶縁層６４、不織布、アルミニウム箔、及び熱可塑性樹脂フィルムが順に積層された層状構造であってもよい。この場合、基材６３と熱可塑性樹脂フィルムとの間から不織布及びアルミニウム箔が抜け落ちないように、熱可塑性フィルムを基材６３の４つの縁部と溶着する。
【００５９】
また、第１及び第２シート状部材６１，６２は、例えば、２枚の熱可塑性樹脂フィルムによって、基材６３、絶縁層６４、及び不織布を挟んだ層状構造であってもよい。この場合、熱可塑性樹脂フィルムの間から基材６３及び絶縁層６４と不織布とが抜け落ちないように、熱可塑性樹脂フィルムの４つの縁部同士を溶着する。
【００６０】
○  第１シート状部材６１において、絶縁層６４は、基材６３の両面に存在していてもよい。同様に、第２シート状部材６２において、絶縁層６４は、基材６３の両面に存在していてもよい。
【００６１】
○  第１シート状部材６１において、基材６３の厚みは、可撓性を有する範囲（例えば、５〜１４μｍの範囲）で適宜変更してよい。同様に、第２シート状部材６２において、基材６３の厚みは、可撓性を有する範囲（例えば、５〜１４μｍの範囲）で適宜変更してよい。
【００６２】
○  第１シート状部材６１において、基材６３の材料は、アルミニウムに限定されない。同様に、第２シート状部材６２において、基材６３の材料は、銅に限定されない。
○  第１シート状部材６１において、絶縁層６４は、ケイ素酸化物、アルミニウム酸化物、マグネシウム酸化物、カルシウム酸化物、ケイ素窒化物、アルミニウム窒化物、ケイ素酸窒化物、及びアルミニウム酸窒化物から１種類以上の材料を堆積することによって形成されていてもよい。同様に、第２シート状部材６２において、絶縁層６４は、ケイ素酸化物、アルミニウム酸化物、マグネシウム酸化物、カルシウム酸化物、ケイ素窒化物、アルミニウム窒化物、ケイ素酸窒化物、及びアルミニウム酸窒化物から１種類以上の材料を堆積することによって形成されていてもよい。
【００６３】
○  絶縁層６４には、気泡が含まれていなくてもよい。
○  蓄電装置は、例えばキャパシタなど、二次電池以外の蓄電装置にも適用可能である。
【００６４】
○  二次電池１０は、リチウムイオン二次電池以外の他の二次電池であってもよい。要は、正極用の活物質と負極用の活物質との間をイオンが移動するとともに電荷の教授を行うものであればよい。
【符号の説明】
【００６５】
１０…蓄電装置としての二次電池、１１…ケース、１２…電極組立体、１３…ケース本体、１３ａ…開口部、１４…蓋、１５…タブ群としての正極タブ群、１６…タブ群としての負極タブ群、１７ａ…集箔部、１８ａ…電極端子としての正極端子、１８ｂ…電極端子としての負極端子、２０…導電部材、２１…電極としての正極電極、２２…電極としての負極電極、２６…タブとしての正極タブ、２９…タブとしての負極タブ、５０…絶縁カバー、５１…第１絶縁部としての第１部位、５３…第２絶縁部としての第３部位、６１…シート状部材としての第１シート状部材、６２…シート状部材としての第２シート状部材、６３…基材、６４…絶縁層、Ａ１…端面としての第１端面、Ａ２…端面としての第２端面、Ｂ…端面としての積層端面。
【図１】
2019117736.tif 000003
【図２】
2019117736.tif 000004
【図３】
2019117736.tif 000005
【図４】
2019117736.tif 000006